(57)【要約】【課題】フィールド整備具に汎用性を持たせること。【解決手段】フィールド整備を直接担う基部１０の長手方向Ａに対して直角方向に設けた連結部２０に対して、棒状の柄部４０を取付手段によって着脱自在とし、棒状の柄部４０の連結部２０に接続自在な先端部とは反対側の他端部に、径大なグリップエンド部５０を設けた。【選択図】図１
2017141571.tif 000002
【特許請求の範囲】
【請求項１】
フィールド整備を担う基部と、
前記基部の長手方向に対して直角方向に設けた連結部と、
前記連結部に先端部が接続可能な柄部と、
前記柄部の前記連結部側とは反対側の他端部に、前記柄部の径を直径２０〜３０ｍｍの範囲内の最小の太さから、前記柄部の長さ方向の距離１０〜２０ｍｍの範囲内に対して徐々にその径を拡大して直径４０〜６０ｍｍの範囲内の最大径を形成してなるグリップエンド部と
を具備することを特徴とするスポーツ関連器具。
【請求項２】
前記基部は、地面を均す平滑部及び／または凹凸部を有することを特徴とする請求項１に記載のスポーツ関連器具。
【発明の詳細な説明】
【技術分野】
【０００１】
本発明は、例えば、グラウンドの土や砂の整地等を行うフィールド整備具に汎用性を持たせたスポーツ関連器具に関するものである。
【背景技術】
【０００２】
従来、野球場、陸上競技場、テニスコート、学校等のグラウンド地面の凹凸を均したり、スパイク等により生じた跡を埋めたりといったグラウンドの土や砂の整地を行うために、グラウンドレーキ、トンボ、コートブラシ等と称されるフィールド整備具が使用されている。これらフィールド整備具は、球技等を安全に行うグラウンドを管理するうえで欠かすことのできないものであるが、利便性が良いことで一般的に普及されている、人が柄部を把持して均す人力タイプのものでも、長さが１５０ｃｍ〜１７０ｃｍ、幅が６０〜１８０ｃｍと嵩高く、その収納に場所をとる。
【０００３】
ここで、特許文献１及び特許文献２でも開示されているように、使用者が把持する柄と、柄及び刃体の取付を強化する補強部とを一体に形成する一方で、刃体を交換可能とするために刃体を別体に形成して着脱自在としたグラウンド整地具（フィールド整備具）も知られている。
【先行技術文献】
【特許文献】
【０００４】
【特許文献１】実公昭５９−３４５６６号公報
【特許文献２】特開平２０１３−０４４０８９号公報
【発明の概要】
【発明が解決しようとする課題】
【０００５】
しかし、この種の従来のフィールド整備具は、グラウンドの土や砂の整地を行うための用途に限定されており、同じスポーツ関連用品の球やバット等の球技具と比べてその使用頻度が少ないものであるにも関わらず、広範囲のグラウンドを短時間で効率的に整地するためには、或る程度の本数を揃えておく必要があることから、その導入・採用に多くの出費を伴いコストがかかる。そればかりか、それらの収納に広いスペースの確保が必要とされる。特に、この種のフィールド整備具は、木製や金属製であるため、炎天下や雨ざらしでの放置は劣化しやすいことから、器具庫等での保管が一般的である。しかし、このようなフィールド整備具を収納する器具庫では、その他にも、例えば、球やバット等の球技具等のスポーツ関連器具の収納・保管がなされており、複数本のフィールド整備具の収納・保管に広いスペースが必要となることで、その他の球やバット等の球技具等のスポーツ関連器具の収納スペースが限られることがある。一方で、器具庫において同様に収納・保管されているバッド等の球技具は一般的に値段が高価であることから、練習用に必要な本数を揃えることができない事情を抱えていることもある。
【０００６】
そこで、本発明は、フィールド整備具に汎用性を持たせたスポーツ関連器具の提供を課題とするものである。
【課題を解決するための手段】
【０００７】
請求項１のスポーツ関連器具は、フィールド整備を直接担う基部の長手方向に対して直角方向に設けた連結部と棒状の柄部を取付手段によって着脱自在とし、前記棒状の柄部の前記連結部に接続自在な先端部とは反対側の他端部に径大なグリップエンド部を設けたものである。
【０００８】
ここで、上記基部は、一般的にレーキ、トンボと称されるグラウンド整地に使用されているような地面を均す平滑部や歯形状、波形状等の凹凸部を有する平板状、Ｌ字平板状、櫛形状、熊手状のものの他、ブラシや、体育館等の床面の清掃に用いられるモップ（繊維を有するヘッド部分）等の形態でもよく、フィールドの状態を整える機能を有する部材であればよい。
なお、上記フィールドは、競技場、運動場等の地面に限定されず、体育館等の床面も含まれる。
【０００９】
上記連結部は、基部の長手方向に対して、換言すると、フィールド（地面、床面）に対して接触させる横幅長さに対して、直角方向に設けられたものであり、基部と柄部が略Ｔ字形状を形成するように基部と柄部を連結可能とするものである。連結部の基部との接続は、一体に固着されていてもよいし、着脱自在としてもよい。なお、上記直角方向とは、厳格に９０°方向であることを要求するものではなく、基部の種類、機能、目的、形状等に応じて使用者が作業しやすい姿勢となるように設計されることから、３０°以下の誤差は許容される。
【００１０】
上記柄部は、棒状に形成されて、使用者が把持する部分であり、グリップエンド部の配設側とは反対側の先端部が連結部に接続可能で、連結部に対して着脱自在に取付けられる。なお、棒状とは、軸線が直線状となっていればよく、その径の大きさ（太さ、厚み）が同一であることまでを問わない。また、柄部の連結部への接続は、直接的または間接的を問われない。
【００１１】
そして、上記取付手段は、基部に設けた連結部と柄部とを着脱自在に取付けることができればよく、素人でも取付誤差を少なくして簡単に取付け、取外しができる手段であれば良い。
更に、上記グリップエンド部は、発明者等の実験により、柄部の連結部に接続可能とされる先端部側とは反対側である他端部に、柄部の径を直径２０〜３０ｍｍの最小の太さから、柄部の長さ方向の距離１０〜２０ｍｍに対して徐々にその径を拡大して直径４０〜６０ｍｍの最大径を形成したものが好適であり、特に、野球バット、テニスラケット等の握り心地と同一の感覚で柄部を握ることができる。
【００１２】
請求項２のスポーツ関連器具は、前記基部が、地面を均す平滑部及び／または凹凸部を有するものであり、所謂、レーキ、トンボと称される地面を均す整備具として使用するものである。
ここで、上記凹凸部とは、歯形状、波状、櫛状、爪を有する熊手状等の形状を呈し、地面を掻いて均すものである。
【発明の効果】
【００１３】
請求項１の発明のスポーツ関連器具によれば、取付手段によって、フィールド整備を直接担う基部の長手方向に対して直角方向に設けた連結部と棒状に形成した柄部が着脱自在となっており、基部に設けた連結部に柄部の先端部を接続して取付けることで、フィールド整備具して使用できる。一方で、基部に設けた連結部と柄部の取付けが解除され両者が接続されていない状態では、柄部が棒状を呈し、更に、連結部に接続される先端部とは反対側の柄部の他端部に柄部の径を直径２０〜３０ｍｍの最小の太さから、柄部の長さ方向の距離１０〜２０ｍｍに対して徐々にその径を拡大して直径４０〜６０ｍｍの最大径を形成したグリップエンド部が設けられていることで、柄部４０をそのグリップエンド部５０側で把持し、スイングした際にも、グリップエンド部５０によって手が柄部の端部から滑り抜けるのが防止され、野球、ソフト等の素振用バットとして球の打撃やスイング練習に好適なものとなる。
【００１４】
特に、上記グリップエンド部は、前記柄部の一端部に、前記柄部の径を直径２０〜３０ｍｍの範囲内の最小の太さから、前記柄部の長さ方向の距離１０〜２０ｍｍの範囲内に対して徐々にその径を拡大して直径４０〜６０ｍｍの範囲内の最大径を形成したものである。したがって、前記基部に地面を均す平滑部、凹凸部を有する所謂、レーキ、トンボと称される地面を均す整備具が取付けられていても、選手らがグランド整備、床整備をするときには、野球のバット、テニスラケット等を握ったときと同感覚で作業でき、筋肉トレーニングを行うことから、グランド整備であっても野球、ソフト、テニス等の実戦練習と同様の運動ができる。
【００１５】
また、上記グリップエンド部をそのままの状態で、前記柄部の長さを複数持つことにより、重心までの距離を変化させ、自己の打撃速度、スイング速度を向上させる運動ができる。逆に、スイング速度から、野球バットを握る位置を逆算して、スピードボールにたちむかうことができる。
そして、上記グリップエンド部は、野球、ソフトボールのバットの端部の形状に似ており、使用者は握った状態では違和感が生じないから、自然な感覚で使用することができる。
【００１６】
このように、本発明のスポーツ関連器具は、基部に設けた連結部と柄部が別体となっていて、取付手段により着脱自在であることで、基部に設けた連結部に柄部を取付けた状態ではフィールド整備具として使用できる一方で、基部に設けた連結部に取付けた柄部が取外せることで、一端部に径大なグリップエンド部が設けられた柄部は、野球、ソフト等の球技用のバット等の素振用バットとしても使用でき、フィールド整備具と打撃具を兼用した汎用性のあるものとなっている。
勿論、前記基部に取付けるのはレーキ、トンボと称される地面を均す整備具に限定されるものではなく、モップ等の清掃道具でもよい。
【００１７】
請求項２のスポーツ関連器具によれば、前記基部は、地面を均す平滑部及び／または歯形状、波形状、櫛形状等の凹凸部を有するものであり、請求項１に記載の効果に加えて、取付手段によって基部に設けた連結部に柄部を取付けた際には、柄部を握って基部を前後に動かしたり引張って擦らしたりすることで、所謂、レーキやトンボと称されるグランウンドを均す整備具として、地面にできた窪みや盛り上がった場所等を均すことができる。
【図面の簡単な説明】
【００１８】
【図１】図１は本発明の実施の形態に係るスポーツ関連器具の構成を示す全体斜視図である。
【図２】図２は本発明の実施の形態に係るスポーツ関連器具において連結部に柄部を挿入した状態を示す要部側面図である。
【図３】図３は本発明の実施の形態に係るスポーツ関連器具において連結部に柄部を取付けてフィールド整備具として使用する状態を示す全体斜視図である。
【図４】図４は本発明の実施の形態に係るスポーツ関連器具を構成する柄部の正面図である。
【図５】図５は本発明の実施の形態に係るスポーツ関連器具において柄部の別の形態を示す正面図である。
【図６】図６（ａ）は本発明の実施の形態に係るスポーツ関連器具を構成する連結部と柄部の取付手段の別の形態を示す断面図であり、図６（ｂ）は要部展開図の側面図である。
【図７】図７（ａ）は本発明の実施の形態に係るスポーツ関連器具を構成する基部の形態を示す要部斜視図であり、図７（ｂ）は別の形態を示す要部斜視図である。
【発明を実施するための形態】
【００１９】
以下、本発明の実施の形態について、図面を参照しながら説明する。なお、実施の形態において、図示の同一記号及び同一符号は、同一または相当する機能部分であるから、ここではその重複する説明を省略する。
【００２０】
［実施の形態］
まず、本発明の実施の形態に係るスポーツ関連器具の構成について、図１乃至図４を参照して説明する。
本実施の形態に係るスポーツ関連器具１は、地面に接触させて動かすことで地面を均す機能を直接担う基部１０と、基部１０の長手方向Ａの略中央部に長手方向Ａに対して直角方向に設けられた連結部２０と、連結部２０に対して先端部が接続可能な棒状の柄部４０と、連結部２０に設けた孔２１と柄部４０に設けた孔４１にボルト３１を挿入し、そのボルト３１の先端にナット３２締めすることにより柄部４０を連結部２０に着脱自在に取付ける取付手段と、柄部４０の連結部２０に接続される側とは反対側の他端部に設けた径大なグリップエンド部５０とを有する。
【００２１】
本実施の形態において、基部１０は、アルミニウム、スチール、ステンレス、鉄等の金属からなり、上板部１１及び下板部１２からなるＬ字形状を呈している。地面に接触させる均し部（刃体部分）１２ａの（刃先）形状は、図１乃至図３では直線平滑状となっているが、本発明を実施する場合には、図示の直線平滑状のものに限定されず、後述するように歯形状、波形状、櫛形状等であってもよい。
なお、例えば、基部１０の長手方向Ａの長さ（作業時に地面に接触させる横幅長さ）は７０〜１００ｃｍ程度、地面に接触させる均し部（刃体部分）１２ａを有する下板部１２の長手方向Ａに直角な縦幅は４〜６ｃｍ程度に設計される。また、図１乃至図３では、上板部１１や下板部１２は矩形状であるが、これに限定されるものではなく、作業性、製造し易さ、重量バランス等を考慮して設計され、例えば、台形状等を採用してもよく、角部が鈍角状または鋭角状に形成されていてもよい。
【００２２】
基部１０の上板部１１の略中央部には、同じく金属からなり両端部が開口している円筒状（パイプ状）の連結部２０の一端部が溶接によって固着されている。この連結部２０は、基部１０の上板部１１の長手方向Ａに対して直角に設けられている。なお、図１乃至図３においては、連結部２０は、上板部１１及び下板部１２からなる基部１０のＬ字の外角側で上板部１１に固着されているが、本発明を実施する場合には、連結部２０の基部１０への接続位置は、基部１０においてＬ字の外角側の上板部１１に限定されず、Ｌ字の内角側であってもよいし、下板部１２側であってもよい。何れにせよ、使用者が作業しやすい姿勢となるように、基部１０の均し部（刃体部分）１２ａの形成位置（作業時に地面に接触させる横幅長さ）に対して直角方向に柄部４０が取付けられて基部１０と柄部４０とが略Ｔ字形状に連結されるように連結部２０の配設位置が設計される。
【００２３】
また、本実施の形態では、基部１０の上板部１１と連結部２０に対して同じく金属からなる棒状の補強部（筋交い棒）２２が溶接によって固着され、基部１０の上板部１１と連結部２０の間を接続している。図１乃至図３では、補強部２２は、Ｌ字状に折曲した金属棒の両端部を基部１０のＬ字外角側で上板部１１に溶接し、また、折曲部を連結部２０の上端部に、詳細には、柄部４０が挿入される開口付近であって連結部２０の上板部１１への固着位置とは反対側で、溶接よって固着されており、上板部１１において連結部２０を跨いだ左右両側から連結部２０上端部の間を掛け渡して機械的強度を高めている。なお、本発明を実施する場合には、補強部２２の構造は、これに限定されるものではなく、例えば、略三角形や略半円形の平板状に形成してもよい。また、補強部２２の位置も、基部１０のＬ字内角側の上板部１１から連結部２０の上端部に掛け渡すようにしてもよい。
【００２４】
そして、このように一端部が基部１０の上板部１１に固着されている円筒状の連結部２０の反対側の他端部側には、柄部４０を固定するボルト３１が挿通されるための表裏に貫通する１対の孔２１が設けられている。図１乃至図３において、１対の孔２１は、上板部１１の長手方向Ａに対して直角の面方向において対向する位置に設けられており、更に、連結部２０の長手方向に沿って並列的に複数設けられている。
【００２５】
柄部４０は、その外径が円筒状の連結部２０の内径よりも若干小さく形成された有底円筒状を呈し、端部が開口された円筒状の連結部２０の内部に挿入可能とされる。本実施の形態において、図１乃至図４に示した柄部４０は、アルミニウム、スチール、鉄等の金属からなり、略一定の均一な軸径の棒状であって内部が空洞の中空状に形成されている。なお、図１において、有底円筒状の柄部４０の底部分はドーナツ状となっていて、柄部４０の連結部２０に挿入可能とされる側の先端面はドーナツ状に閉塞されている。
【００２６】
そして、柄部４０においても、円筒状の連結部２０の内部に挿入可能な先端部側には、ボルト３１が挿通されるための表裏に貫通する１対の孔４１が設けられている。図１乃至図３において、この１対の孔４１も、互いに対向する位置に設けられており、柄部４０の長手方向に沿って並列的に複数形成することも可能である。
【００２７】
なお、連結部２０の１対の孔２１や柄部４０の１対の孔４１は、単数であってもよいが、複数設けることによって、連結部２０に挿入されてボルト３１及びナット３２により固定される柄部４０の挿入深さを調節自在とし、使用者の身長等に合わせた長さ調節が可能となる。また、後述するように柄部４０をバット等の打撃具として使用した際に、１対の孔４１にボルト３１及びナット３２を選択的に取付けて重量バランスの調節を自在とすることができる。そして、連結部２０の１対の孔２１や柄部４０の１対の孔４１の位置は、連結部２０に対する柄部４０の挿入深さによる重量バランス、ガタツキ度合い、安定性、操作性等を考慮して設計される。
【００２８】
そして、柄部４０の連結部２０に挿入可能とされる先端側（１対の孔４１が設けられた側）とは反対側の他端部（基端部）には、柄部４０と同様、金属からなり、柄部４０の基端部よりも径大なグリップエンド部５０が一体的な成形によって設けられている。
【００２９】
グリップエンド部５０は、図４に示したように、柄部４０の最小径ΦＭｉｎの太さから、柄部４０の長さ方向の所定の距離ｌに対して、徐々にその径を拡大して最大径ΦＭａｘの太さに形成されたものであり、本実施の形態においては、最小径ΦＭｉｎ＝２０〜３０ｍｍ（Φ２０〜３０）、柄部４０の長さ方向の所定の距離ｌ＝１０〜２０ｍｍ、最大径ΦＭａｘ＝４０〜６０ｍｍ（Φ４０〜６０）に設計されている。
【００３０】
グリップエンド部５０の具体的な形状としては、柄部４０を使用者が握った際に、特に、後述するように柄部４０をバット等の打撃具としてスイングした際に、手が柄部４０の端部から滑り抜けるのを防止できれば特に限定されず、例えば、略円盤状、略テーパ状の円錐台状等が採用され、詳細には、通常の野球バットに形成されている、所謂、スラッガー型、中距離型、タイ・カップ（フレアタイプ、テーパタイプ）型等が挙げられる。基端面は平板状でなくとも、凹状に湾曲していてもよい。
【００３１】
発明者らの実験の結果、連結部２０の反対側の柄部４０の一端部に柄部４０の径を直径２０〜３０ｍｍの範囲内の最小の太さから、柄部４０の長さ方向の距離１０〜２０ｍｍの範囲内に対して徐々にその径を拡大して直径４０〜６０ｍｍの範囲内の最大径を形成したグリップエンド部５０が設けられていることで、柄部４０をそのグリップエンド部５０側で把持し、スイングした際にも、グリップエンド部５０によって手が柄部４０の端部から滑り抜けるのが防止され、野球、ソフト等の素振用バットとして球の打撃やスイング練習に好適なものとなる。
【００３２】
特に、グリップエンド部５０は、柄部４０の一端部に、柄部４０の径を直径２０〜３０ｍｍの範囲内の最小の太さから、柄部４０の長さ方向の距離１０〜２０ｍｍの範囲内に対して徐々にその径を拡大して直径４０〜６０ｍｍの範囲内の最大径を形成した。したがって、基部１０に地面を均す平滑部、凹凸部を有する所謂、レーキ、トンボと称される地面を均す整備具、モップ等の清掃具が取付けられていて、選手らがグランド整備、床掃除をするときには、野球のバット、テニスラケットを握ったときと同感覚で作業でき、筋肉トレーニングを行うことができるから、グランド整備、床掃除であっても野球、ソフト、テニス等の実戦練習と同様の運動ができ、筋肉トレーニングができる。
【００３３】
また、グリップエンド部５０をそのままの状態で、柄部４０の長さを複数持つことにより、その重心までの距離を変化させ、自己の打撃速度、スイング速度を向上させる運動ができる。逆に、そのスイング速度から、野球バットを握る位置を逆算して、スピードボールにたちむかうこともできる。
【００３４】
このように、本発明のスポーツ関連器具は、基部１０に設けた連結部２０と柄部４０が別体となっていて、基部１０に設けた連結部２０に柄部４０を取付けた状態ではフィールド整備具として使用でき、また、基部１０に設けた連結部２０に取付けた柄部４０が取外せることで、一端部に径大なグリップエンド部５０が設けられた柄部４０は、野球、ソフト等の球技用の素振用バットとしても使用でき、フィールド整備具と打撃具を兼用した汎用性のあるものとなっている。勿論、前記基部に取付けるのはレーキ、トンボと称される地面を均す整備具に限定されるものではなく、モップ等の清掃道具でもよい。
【００３５】
なお、本実施の形態のグリップエンド部５０は、柄部４０と同様、金属製で柄部４０の基端部から連続して一体的な成形により柄部４０の周囲の径方向に突出形成されているが、本発明を実施する場合には、柄部４０とグリップエンド部５０の接続構成は、これに限定されるものではなく、例えば、溶接によって接合してもよいし、柄部４０とグリップエンド部５０を別体とし、ねじ止めによる接続を行ったり、柄部４０とグリップエンド部５０に１対の雌ねじ部と雄ねじ部を設け螺合による接続を行ったりし、柄部４０に対してグリップエンド部５０を着脱自在な構成としてもよい。また、柄部４０とグリップエンド部５０の素材を異なるものとすることも可能である。
【００３６】
そして、本実施の形態においては、連結部２０に設けた１対の孔２１及び柄部４０に設けた１対の孔４１と、それらの孔２１及び孔４１に挿入されるボルト３１及びボルト３１に対応するナット３２とからなる取付手段を有しており、図２に示したように、基部１０に固着された円筒状の連結部２０の内部に柄部４０の先端部を挿入して連結部２０の１対の孔２１及び柄部４０の１対の孔４１を一致させ連結部２０の１対の孔２１及び柄部４０の１対の孔４１にボルト３１を挿通し、そのボルト３１の先端にナット３２を回転させてねじ止めによる締め付けを行うことにより、基部１０に固着した連結部２０に対して、一端にグリップエンド部５０が設けられた柄部４０が固定可能となっている。なお、必要に応じて、ボルト３１とナット３２を締め付ける際に、それらの間に座金を入れてもよい。
【００３７】
因みに、端部が開口した円筒状に形成された連結部２０の円形状の内径形状に対応して、柄部４０は円筒状に形成されてその外径形状が円形状に設計され、つまり、柄部４０の外径形状は連結部２０の開口形状と略同一に設計され、また、柄部４０の外径が連結部２０の内径よりも若干だけ小さく設計されていることで、ボルト３１及びナット３２で基部１０に固着した連結部２０に柄部４０を固定した際、ガタつくことはない。
【００３８】
次に、本実施の形態のスポーツ関連器具１の使用形態について説明する。
上述したように、本実施の形態のスポーツ関連器具１においては、地面の凹凸を均す機能を直接担う基部１０と棒状の柄部４０とを略Ｔ字状に接続する円筒状の連結部２０が基部１０の長手方向Ａに対して直角に固着され、そして、棒状の柄部４０が基部１０に固着した連結部２０と別体に設けられており、連結部２０に設けた１対の孔２１及び柄部４０に設けた１対の孔４１にボルト３１を挿入してナット３２締めする取付手段によって、基部１０に固着した連結部２０に対して柄部４０が着脱自在に取付可能となっている。
【００３９】
このような構成のスポーツ関連器具１によれば、図２及び図３に示すように、基部１０の長手方向Ａに対して直角に固着した円筒状の連結部２０の内部に、連結部２０より径小な棒状の柄部４０の先端部を挿入し、連結部２０の任意の１対の孔２１及び柄部４０の１対の孔４１を一致させて、それら１対の孔２１及び１対の孔４１にボルト３１を挿通し、ボルト３１の先端にナット３２を回転させてねじ止めによる締め付けを行い、基部１０に固着した連結部２０に対して柄部４０を固定することにより、柄部４０を使用者が握って基部１０を動かすことができ、基部１０の均し部（刃体部分）１２ａを地面に接触させて前後に動かしたり、引張って擦らしたりして、例えば、運動場、球技場のバンカー、道路、アスファルト等の地面上に出来た窪みや盛り上り等を均して整備するフィールド整備具（図２及び図３の形態のものでは、所謂、レーキ、トンボと称される）として使用できる。
【００４０】
また、基部１０に固着した連結部２０に対して柄部４０を固定するボルト３１及びナット３２が取り外され、連結部２０に柄部４０を挿入していない状態では、単体の柄部４０のグリップエンド部５０側（図４のグリップ部４２に相当）を使用者が握って、柄部４０をスイングし、また、柄部４０のグリップエンド部５０側とは反対の他端部側（図４のヘッド部４３に相当）で球を打つトレーニング（練習）用の野球、ソフト等の球技用バット等の打撃具として使用できる（図４参照）。
【００４１】
特に、棒状の柄部４０の連結部２０に挿入可能とされる先端側とは反対側の他端部（基端部）には、柄部４０より径大なグリップエンド部５０が設けられていることで、柄部４０を野球バット等の打撃具の使用形態でスイングしたときに、柄部４０を握った使用者の手から柄部４０が滑り抜ける事態が防止され、安全に使用できる。また、正規の野球バットと同様に、グリップエンド部５０に手を当てた握り方や、小指を当てた握り方が可能であり、正しい握り方でのスイング練習を可能とする。勿論、基部１０に固着した連結部２０に柄部４０を取り付けたフィールド整備具としての使用形態で柄部４０を操作した際でも、柄部４０の基端部にグリップエンド部５０が設けられていることで、手が柄部４０の端部から滑り抜け出るのが防止される。
【００４２】
そして、このように本実施の形態のスポーツ関連器具１によれば、基部１０に固着した円筒状の連結部２０と棒状の柄部４０とが別体に構成されていることで、運搬・持ち運びの際には、基部１０に固着した連結部２０側と棒状の柄部４０側を別々に持つことが可能で、運搬・持ち運びの負担を軽減できる。更に、商品を発送等の輸送の際にも、嵩張らないことで低コストでの輸送が可能となる。また、収納・保管の際にも、基部１０に固着した連結部２０側と棒状の柄部４０側を別々にできることで、嵩張らず、特にフィールド整備具と打撃具を兼ね備えていることから、両者を別々に購入した場合と比べて収納スペースを大いに節約できることになり、更にはコストを抑えることもできる。
【００４３】
加えて、連結部２０に設けた１対の孔２１及び柄部４０に設けた１対の孔４１に挿入されるボルト３１及びナット３２から構成される取付手段によって、基部１０に固着した連結部２０と棒状の柄部４０は着脱が簡単である。即ち、連結部２０の孔２１及び棒状の柄部４０の孔４１にボルト３１を挿入し、そのボルト３１の先端部にナット３２を締結する操作を行うのみで、基部１０に固着した連結部２０に柄部４０を強固に取付けることができ、一方、ナット３２の締結を緩ませて孔２１及び孔４１に挿入されたボルト３１を外す操作を行うのみで、基部１０に固着した連結部２０と柄部４０の固定状態を解除することができ、組立て及び取外しが簡単で非常に使い勝手がよく、小学生の子供でも基部１０に固着した連結部２０と柄部４０の装着を容易に取扱うことができる。
【００４４】
なお、本実施の形態のスポーツ関連器具１においては、柄部４０にボルト３１が挿入される孔４１が設けられ、また、連結部２０にもボルト３１が挿入される孔２１が設けられているため、スポーツ関連器具１を収納・保管する場所ではフック等に柄部４０の孔４１や連結部２０の孔２１を直接掛けて、あるいは、柄部４０の孔４１や連結部２０の孔２１に紐等を通し、紐等を介してフック等に掛けて収納・保管することも可能であり、収納・保管方法の自由度が高く、収納・保管スペースの更なる節約を図ることが可能である。更に、基部１０に固着した連結部２０に柄部４０を着脱自在に取付ける取付手段が連結部２０に設けた１対の孔２１及び柄部４０に設けた１対の孔４１に挿入されるボルト３１及びナット３２から構成されることで、基部１０に固着した連結部２０側と柄部４０側を別々に保管・収納する際には、柄部４０の孔４１または連結部２０の孔２１にボルト３１及びナット３２を装着可能であり、部品紛失の恐れも少ない。
因みに、柄部４０のグリップエンド部５０側に別途、孔を設けることで、基部１０に固着した連結部２０に対して柄部４０を取付けた状態でもフック等に掛けて収納することが可能となる。
【００４５】
また、このように連結部２０に設けた１対の孔２１及び柄部４０に設けた１対の孔４１に装着されるボルト３１及びナット３２から構成される取付手段によって、基部１０に固着した連結部２０とグリップエンド部５０が設けられた柄部４０の着脱が簡単であるから、グリップエンド部５０が設けられた柄部４０側の交換を必要とすることなく、グラウンド等の土質の硬軟等や整備目的に合わせて、選択的に任意に連結部２０が固着された基部１０を交換することが可能であり、また、基部１０の均し部（刃体部分）等が磨耗や錆等によって損傷・劣化した場合においても連結部２０が固着された基部１０の取替えが可能であり、効率的な整備作業が行えて利便性が高く、経済的でもある。勿論、柄部４０側が損傷した場合でも、柄部４０側のみの取替えが可能であり、また、使用者の身長等に応じて異なる長さの柄部４０を選択的に交換することも可能である。
【００４６】
更に、本発明を実施する場合には、使用者が柄部４０を握る位置、特に柄部４０を打撃具として使用する際に使用者が両手で把持する柄部４０のグリップエンド部５０側の領域（グリップ部４２）に把持の安定化や握り易さ等のための滑り止め加工を施してもよい。  例えば、合成樹脂やラバー（皮革）等で構成された所謂、グリップテープを巻回して貼りつけたり、ゴムチューブ等の筒状部材を装着したり、溝加工や凹凸を形成したりすることができる。特に、グリップテープや筒状部材等を使用することで、握りやすい任意の太さ（径の大きさ）に設計できたり、素材によっては汗を吸い取ったりすることもできる。  更に、グリップテープや筒状部材にクッション性を有する素材を使用することで、打撃具としての使用形態で柄部４０を把持して球を打撃した際に、柄部４０を握った手に受ける衝撃を抑制・緩和できる。勿論、フィールド整備具としての使用形態で柄部４０を把持して基部１０にて地面を均す操作を行った際でも同様の効果が得られる。
【００４７】
ここで、本実施の形態のスポーツ関連器具１においては、フィールド整備具としての使用形態にて基部１０に固着した連結部２０に対して柄部４０を固定するためのボルト３１及びナット３２は、単体の柄部４０を打撃具として使用する際には、柄部４０の孔４１に取付けることによって適度なウェイトとして作用させることができ、重量バランスを調節する錘体として使用可能である。
つまり、棒状の柄部４０に孔４１が設けられていて、ボルト３１及びナット３２が柄部４０の孔４１に取付自在であることで、柄部４０の重量バランスの調節が可能で、スイング時の抵抗や慣性力の変化等によるスイングバランス、飛距離等の調整を行うことができるようになり、使用者に合わせたスイング形態の習得を可能とする。例えば、柄部４１の孔４１に任意の重さのボルト３１及びナット３２を取付けた場合には、重量が増大することで、スイング動作時の抵抗力や慣性力が増し、スイングバランスや筋力の向上等に好適なものとなる。また、ボルト３１及びナット３２を取付けない場合には、軽くなることでスイング動作時の抵抗力や慣性力が小さくなり素早いスイングが可能となり、スイング速度の向上等に好適なものとなる。このように、ボルト３１及びナット３２の着脱によってスイング動作時の重量バランスを変化させることが可能であり、スイング力の効率的な強化を図ったり、打球の飛距離を向上させたり、球を正確に打ったりするトレーニングにより好適なものとなる。
【００４８】
特に、複数の重さが異なるボルト３１及びナット３２を用意することで、重量バランスの調節を自在にできる。
また、柄部４０の１対の孔４１を長手方向に沿って、及び／または、周方向に沿って複数個併設し、ボルト３１及びナット３２の取付位置を選択的なものとすることでも、重量バランスの調節がより自在なものとなる。
更に、ボルト３１及びナット３２を重量の同一を問わず複数個容易し、適宜組み合わせて複数の１対の孔４１に対して選択的に取付けることでより一層重量バランスの調節が自在にできる。
【００４９】
なお、このように連結部２０に装着していない状態で柄部４０の孔４１にボルト３１及びナット３２を取付けて錘体（ウェイト）として機能させる構成とすると、重量バランスの調節が可能であることで、柄部４０の大きさ（径や全長）の設計自由度が高くなり、商品の選択自由度が高まって使用者の身長等に合わせた選択が可能となる。また、ボルト３１及びナット３２をウェイトとして作用させることで、本来のバットの重量と同等の重さとしても、全体の長さを短くすることが可能となり、収納スペースやスイング練習スペースの節約を図ることも可能となる。
【００５０】
勿論、本発明を実施する場合、柄部４０において球を捉える先端部側（ヘッド部４３）の内部に、別途、適度なウェイトとして作用させる錘体を設けることも可能である。また、錘体をばね等の弾性材により付勢する組付けを行い、柄部４０の動きに合わせて錘体を移動させるようにして、重量バランスを調整するようにしてもよい。
このような錘体を設けることで、基部１０に固着した連結部２０に柄部４０を接続してフィールド整備具として使用する際にも、基部１０側が重くなることで、安定性が増し、地面が固くてもより軽い力で基部１０を操作して地面を均すことができる。
【００５１】
因みに、柄部４０において、グリップエンド部５０側とは反対側である先端部側に１対の孔４１が設けられていることで、ボルト３１及びナット３２が取付けられていない状態では、打撃具としての使用形態で使用者がスイングしてグリップエンド部５０側とは反対側である先端部側（ヘッド部４３）で球を捉えた際に、そのタイミング、つまり、ヘッドスピードや打撃の捉えた位置による音（振動）の変化を増幅させる効果を有し、打球のタイミングを掴むトレーニングに有用である。
【００５２】
ここで、球技用のバット等の打撃具として使用可能な本実施の形態の棒状の柄部４０は、図４に示すように、グリップエンド部５０が設けられた一端部から反対側の他端部（基部１０に固着した連結部２０に挿入される先端部側）まで、略一定の均一な軸径とされている。このように棒状の柄部４０が全長に亘って略同一径（太さ、厚み）に形成されて形状が単調であることで、成形が容易で、低コストで製造できる。
しかし、本発明を実施する場合には、図５に示すように、グリップエンド部５０側から連結部２０に挿入可能とされる先端部側に向かって拡径するテーパ部１４４を設けた形状の柄部１４０とすることも可能である。
【００５３】
即ち、図５に示すように、柄部１４０を打撃具として使用する際に使用者が手で握る柄部１４０のグリップエンド部１５０側の領域をグリップ部１４２、また、このグリップ部１４２とは反対側の他端部（先端部）側の球が当てられる打撃領域をヘッド部１４３としたとき、グリップ部１４２よりもヘッド部１４３を径大に形成し、径小なグリップ部１４２と径大なヘッド部１４３との間をグリップ部１４２側からヘッド部１４３側に漸次拡径して連続に延びるテーパ状のテーパ部１４４で繋げた形状であってもよい。
【００５４】
つまり、図５に示した柄部４１０は、太径で略均一な所定の軸径を有する所定長さのヘッド部１４３と、このヘッド部１４３からグリップエンド部１５０側に向かって次第に細径とされて連続するテーパ部１４４と、このテーパ部１４４から略均一な所定の軸径を有する細径のグリップ部１４２で構成されている。
そして、断面径が絞り込まれたグリップ部１４２の端部に、周囲の径方向に突出するグリップエンド部１５０が設けられている。このグリップエンド部１５０も、柄部１４０の径を直径２０〜３０ｍｍの最小の太さ（最小径ΦＭｉｎ）から、柄部１４０の長さ方向の距離ｌ＝１０〜２０ｍｍに対して徐々にその径を拡大して直径４０〜６０ｍｍの最大径（最大径ΦＭａｘ）を形成したものである。
なお、このようなテーパ部１４４を有する柄部１４０は、例えば、へら絞り加工によって成形できる。また、テーパ部１４４は、段階的に変化するような形状としてもよい。
【００５５】
このように、グリップエンド部１５０側から反対側の他端部（連結部２０に挿入可能とされる先端部）側に向かって、略一定の径を有する径小なグリップ部１４２を設け、途中から直径を徐々に拡径させテーパ状のテーパ部１４４を設け、更に途中から先端部に亘って略一定の径に揃えて径大なヘッド部１４３を設けてなる柄部１４０は、本来のバット形状と同等で、本来のバットと同様の感覚、使用実感でスイングの練習を行うことができる。また、基部１０に固着した連結部２０に柄部１４０を取付けてフィールド整備具として使用する際でも、グリップエンド部１５０側から所定長さをとってテーパ状のテーパ部１４４が設けられていることで、柄部４０を使用者が手で握って基部１０を操作する際に、テーパ部１４４では握った使用者の手が柄部１４０に対して滑り難いものとなる。更に、使用者や作業姿勢等に合った握りやすい径の選択が可能である。
よって、作業性や使い勝手の良いものとなる。
【００５６】
なお、本発明を実施する場合には、柄部４０（なお、以下、単に柄部４０について説明するが、図４の柄部４０及び図５の柄部１４０は、基本的な機能は同じであるから、柄部１４０についても同じである。図５のグリップ部１４２、ヘッド部１４３、グリップ部エンド部１５０についても同様である。）の横断面形状は円形状に限定されず、例えば、楕円形状とすることも可能である。特に、打撃具としての使用形態で使用者が握るグリップ部４２において横断面形状を厚み方向で対向する一部分にて略平行直線状に形成した偏平状に近い楕円形状とした場合、その略平行の直線状部分に両手の掌がくるような握り方により、両手の甲が柄部４０を挟んで平行になるため、基本的なグリップ状態を習得するのに好適なものとなる。
【００５７】
ここで、本実施の形態のスポーツ関連器具１によれば、基部１０に固着した連結部２０に対して柄部４０を接続して図３に示したフィールド整備具として使用する際において、基部１０に固着した連結部２０に対して柄部４０を固定する取付手段は、連結部２０に設けた１対の孔２１及び柄部４０に設けた１対の孔４１と、それらの孔に挿入されるボルト３１及びボルト３１の先端に螺合するナット３２とから構成されており、ボルト３１及びナット３２の締め付けにより基部１０に固着した連結部２０に対して柄部４０を簡単に取付け、取外しができる。また、ボルト３１及びナット３２は市販のものを安価に入手でき、更に、ボルト３１及びナット３２の装着は連結部２０及び柄部４０にボルト３１が挿入される孔２１，４１を穿設するのみでよいことから、低コストで済む。更に、上述したように、単独で柄部４０を球技用のバット等の打撃具として使用する際でも、ボルト３１及びナット３２を柄部４０の１対の孔４１に取付けることで、適度なウェイトとして作用させる錘体として活用でき、商品価値が高いものとなる。
【００５８】
しかし、本発明を実施する場合、基部１０に設けた連結部２０に対して柄部４０を取付ける取付手段は、上述のように連結部２０の孔２１及び柄部４０の孔４１を設けてそこにボルト３１及びナット３２を装着させる構成に限定されるものではなく、連結部２０と柄部４０を適度な固定強度で維持できるものであればよい。
【００５９】
例えば、図６（ａ）に示すように、柄部４０において、上記実施の形態の連結部２０に挿入される先端部側に設けた孔４１に代えて、弾性を有する凸状の弾性係止部６１を設け、この弾性係止部６１を、連結部２０に設けた孔２１に係合させることで、基部１０を固着した連結部２０と柄部４０を着脱自在に取付ける構成としてもよい。
【００６０】
柄部４０において径の外方向に突設した弾性係止部６１は、柄部４０を連結部２０の開口から進入させる際に連結部２０の開口周囲に接触するが、弾性力により収縮して連結部２０への進入が許容され、連結部２０の孔２１の対向位置で弾性力の収縮が解除されて孔２１に嵌合し、係止される。これにより、柄部４０の移動が禁止されて基部１０に設けた連結部２０と柄部４０が固定される。連結部２０の孔２１に嵌合する弾性係止部６１の弾性力に抗して、柄部４０を移動させる力が加えられない限り、弾性係止部６１の孔２１への係止状態が維持され、連結部２０と柄部４０が固定されるが、連結部２０の孔２１に係止する弾性係止部６１の弾性力に抗する力、即ち、弾性係止部６１の収縮方向への押圧力を加えることで、弾性係止部６１の孔２１への係止状態が解除されて、連結部２０と柄部４０の固定が解除され、連結部２０から柄部４０を抜き出すことができる。
【００６１】
図６（ａ）に示すように、連結部２０に設けた孔２１と、この孔２１に嵌合して係止される弾性係止部６１とによって取付手段を構成することでも、連結部２０に柄部４０を挿入するという簡単な操作だけで、弾性係止部６１の弾性力により連結部２０に設けた孔２１に弾性係止部６１が嵌合して係止状態となって、連結部２０と柄部４０が固定され、強固な取付状態が維持される。一方で、弾性係止部６１に対して収縮方向に押圧力を加えるのみで、弾性係止部６１の孔２１への係止状態が解除されて、簡単に連結部２０から柄部４０を外すことができる。つまり、組立て及び取外しが簡単で非常に使い勝手がよく、小学生の子供でも基部１０に固着した連結部２０と柄部４０の装着を容易に取扱うことができる。
特に、螺合による取付けでないから緩み等によるガタつきが生じ難く、安定的な取付状態が得られる。なお、異極の磁石を連結部２０と柄部４０の先端部に取付け、磁石の引き合い作用によってより強固な取付状態を維持するようにしてもよい。
【００６２】
なお、本発明を実施する場合には、弾性係止部６１とそれが嵌合される孔の位置を逆に設定し、連結部２０の内部に内側に突出した弾性係止部６１を設け、連結部２０の内部に挿入される柄部４０に弾性係止部６１が嵌合する孔を設けた構成とすることも可能である。強固な取付状態を維持できるのであれば、弾性係止部６１及びそれに対応する孔の個数は問われない。勿論、上記実施の形態と同様、弾性係止部６１やそれが嵌合される孔を複数個併設して、柄部４０の挿入深さ、換言すると、連結部２０から出る柄部４０の見かけ長さを調節できるようにし、基部１０に設けた連結部２０に対して柄部４０を取付けたフィールド整備具としての使用形態における全長を調節可能としてもよい。
【００６３】
このように、本発明を実施する場合には、連結部２０または柄部４０の何れかに設けた孔と、その孔が設けられていない方の連結部２０または柄部４０に突設され、孔に嵌合して係止される弾性係止部６１とから構成される取付手段としてもよい。
このような取付手段によれば、弾性係止部６１及び弾性係止部６１が嵌合される孔が連結部２０や柄部４０に設けられるものなので、部品点数が少なくて管理しやすく、紛失の恐れもない。また、連結部２０に柄部４０を挿入するという簡単な操作だけで、弾性係止部６１が孔に嵌合されて係止され、基部１０に設けた連結部２０に柄部４０を取付けることができ、一方で、弾性力に抗する力を加える操作を行うのみで簡単にその取外しができ、着脱の操作が簡単である。
【００６４】
更に、例えば、図６（ｂ）に示したように、柄部４０が接続される側の連結部２０の外壁部にねじ部６２ａを設け、また、連結部２０に接続する柄部４０の先端部の外壁部にもねじ部６２ａと同様のねじ部６２ｂを設け、そして、それらねじ部６２ａ及びねじ部６２ｂに対応するねじ部６３ａを内壁部に設けた筒状の締結材６３の螺合によって連結部２０と柄部４０を接続固定してもよい。
【００６５】
こうして、連結部２０に設けたねじ部６２ａ及び柄部４０に設けたねじ部６２ｂと、これらねじ部６２ａ、６２ｂに対応するねじ部６３ａを内壁部に設けた筒状の締結材６３とによって取付手段を構成することでも、両端部が開口した筒状の締結材６３の一端部側に連結部２０を挿入して連結部２０のねじ部６２ａに対して締結材６３のねじ部６３ａを対応させ、また、締結材６３において反対側の他端部側に柄部４０の先端部を挿入して柄部４０のねじ部６２ｂに対して締結材６３のねじ部６３ａを対応させて、回転（締結）させるという簡単な操作で、螺合により基部１０に固着した連結部２０と柄部４０とが締結材６３を介して接続され、連結部２０と柄部４０の強固な固定状態が維持される。一方で、螺合状態の締結を緩める簡単な操作で、両者の接続を解除できる。つまり、組立て及び取外しが簡単で非常に使い勝手がよく、小学生の子供でも基部１０に固着した連結部２０と柄部４０の装着を容易に取扱うことができる。特に、柄部４０を連結部２０に挿入しないことから、柄部４０や連結部１０の設計自由度が高くなり、また、柄部４０の全長を短くしても柄部４０を連結部２０に取付けたフィールド整備具の使用形態での全長は所定長さを確保できる。更に、このように設計自由度が高くなることで、柄部４０と連結部２０の組み合わせのバリエーションが増大し、使用者の選択自由度も高くなる。
【００６６】
このように、本発明を実施する場合には、基部１０を固着した連結部２０と柄部４０を着脱自在に取付ける取付手段を、連結部２０及び柄部４０に設けたねじ部６２ａ，６２ｂと、ねじ部６２ａ，６２ｂに螺合する締結材６３とから構成することも可能である。
このような取付手段によれば、連結部２０及び柄部４０に設けたねじ部６２ａ，６２ｂに締結材６３を対応させて締結するという操作を行うのみで、基部１０に設けた連結部２０に柄部４０を取付けることができ、また、締結を緩めるのみでその取り外しができ、着脱の操作が簡単である。そして、基部１０に固着した連結部２０に柄部４０を別々に保管・収納する際でも、連結部２０のねじ部６２ａまたは柄部４０のねじ部６２ｂに締結材６３が装着可能であり、部品が紛失する恐れも少ない。
【００６７】
本発明を実施する場合、その他にも、例えば、連結部２０と柄部４０に雄ねじ部・雌ねじ部を設け螺合により直接的に接続する構成としたり、連結部２０及び柄部４０において径方向に突出するフランジ状等の鍔部をそれぞれ設け、当該鍔部をボルト・ナットによって接合する構成としたり、連結部２０に設けた孔２１及び柄部４０に設けた孔４１にねじ溝を切り、その孔にボルト締めを行う構成としたり、連結部２０や柄部４０にリング状、Ｒ形状等の係合ピン及びその係合ピンに係合する突起部または鉤部（フック部）を取付けて、径合ピンと突起部や鉤部（フック部）との引っかかり合いにより連結部２０及び柄部４０の接続状態が維持される構成とすることも可能である。
【００６８】
なお、上記説明では、連結部２０が両端部に開口を有する円筒状に形成され、その内部に棒状の柄部４０が受け入れられる構成としたが、本発明を実施する場合には、接続の位置関係はこれに限定されず、棒状の柄部４０の先端部を開口して中空状に形成し、その内部に連続部２０を受け入れる構成としてもよいし、図６（ｂ）で示したように、柄部４０の先端部及び連結部２０の端部が対向して接続される位置関係としてもよい。
【００６９】
上記実施の形態のスポーツ関連器具１においては、スポーツ関連器具１を構成する基部１０、連結部２０、柄部４０及びグリップエンド部５０をアルミニウム、スチール、ステンレス、鉄等の金属製としており、耐久性が良く、特に、地面に接触させて地面を均す機能を直接的に担う基部１０の均し部（刃体部分）１２ａが金属からなることで、固い地面を均すにも好適である。また、基部１０が上板部１１及び下板部１２からなるＬ字形状に形成されていることで、固い地面を均す作業を行っても基部１０が歪み難く、機械的強度や耐久性が高い。更に、金属の中でも、鉄やスチールを採用した場合には重く変形し難いものとなり、アルミニウムを採用した場合には、軽量で錆難いものとなる。スチールやステンレスを採用する場合には、焼付処理がなされたものであるとより強度が向上する。
【００７０】
しかし、本発明を実施する場合、スポーツ関連器具を構成する各部材の素材は、アルミニウム、スチール、鉄、チタン、アルミ合金（ジュラルミン）、ステンレス、スカンジウム合金、チタン合金等の金属に限定されるものではなく、例えば、檜、ラワン等の木材、繊維強化プラスチック（ＦＲＰ）等の樹脂材料等で構成することも可能であり、各部材は異なる素材で形成してもよい。特に、地面に接触させて地面を均す機能を直接的に担う基部１０を木製とした場合では、柔らかい地面、水はけのよい地面、砂の多い地面等を均すのに好適である。また、集成材を採用すると、変形や割れが生じ難いものとなる。
なお、柄部４０や補強部２２を木材で構成する場合には、通常、取付強度を高めるために、それらの接続部分や基部１０との接続部分に金属からなる補強部材が設けられる。
【００７１】
また、柄部４０においても、同一の素材で統一されていなくてもよく、例えば、使用者が把持するグリップエンド部５０側の領域（グリップ部４２に相当）をＦＲＰ製とし、グリップエンド部５０側とは反対側の連結部２０に接続される先端部側（ヘッド部４３に相当）を金属製とする等、部位（領域）によって異なる素材を使用してもよい。
更に、柄部４０やグリップエンド部５０には、打撃による衝撃力を緩和したり飛距離を制御するためにゴムや合成樹脂（発泡樹脂）等からなる弾性素材を使用することも可能である。
【００７２】
何れにせよ、基部１０に設けた連結部２０に柄部４０を取付けてフィールド整備具として使用する使用形態において、柄部４０よりも基部１０側に重心が位置する設計とすることで、柄部４０を握って軽い力で基部１０を操作できる。なお、柄部４０が金属製である場合、手が汚れるのを防止するためにメッキ加工を施すこともある。
【００７３】
また、本発明を実施する場合、地面の整備を直接担う基部１０の構造も、Ｌ字形状のものに限定されず、例えば、基部１０自体の形状を櫛形状としたり、爪を櫛状に並べた熊手状としたり、図７（ａ）に示すように、略長方形の板状に形成してもよい。なお、このような形状であっても、地面に接触させる均し部１２ａの配設方向（地面に接触させる横幅長さ）に対し略直角方向で連結部２０が設けられる構成とされる。
【００７４】
そして、地面に接触させる均し部１２ａの形状も、図１乃至図３で示した地面を平滑にするのに適する直線平滑状のものに限定されず、歯形状、波形状、櫛形状等に形成してもよい。このような歯形状、波形状、櫛形状等の凹凸部により地面を削って地面の凹凸を均すことができる。即ち、基部１０は、均し部１２ａが直線平滑状とされた平滑部を有するものに限定されず、歯形状、波形状、櫛形状等とされた凹凸部を有するものであってもよい。また、基部１０は、例えば、略長方形の平板状に形成して上下両端部の２箇所に平滑部や凹凸部を設けた構成としてもよいし、更には、平滑部と凹凸部と両方を有していてもよく、例えば、図７（ａ）に示すように、グラウンドを平滑に均すのに適する直線平滑状の平型均し部（平滑部）１２ａ１とグラウンドを掻いたり鋤き削ったりして地面の凹凸を柔らかくするのに適する歯形状、波形状、櫛形状の歯付き均し部（凹凸部）１２ａ２を対向配置して両者兼用の構成としてもよい。
【００７５】
更に、これら均し部１２ａを、ボルト・ナット等により着脱可能な構成として、均し部１２ａを交換可能とすることも可能である。
なお、凹凸部は、歯形状、波形、櫛状等に限定されず、例えば、爪を櫛状に並べた熊手状ものであってもよく、これら歯形状、波形、櫛状、熊手状等の凹凸部を有する基部１０によれば地面を掻いて均すことができる。また、例えば、アスファルトの均しや、集草や、畑等の畝上げ等の整地作業にも有効である。
【００７６】
また、地面に接触させる均し部１２ａを並行に複数設けて、一度の動作で効率的に幅広い範囲を均すことができるようにすることも可能である。特に、歯形状、波形状、櫛形状の歯付き均し部（凹凸部）と直線平滑状の平型均し部（平滑部）を並行に設けて両者を同時に使用できるようした場合には、より効率的な均し効果が得られる。また、歯形状、波形状、櫛形状の歯付き均し部（凹凸部）と直線平滑状の平型均し部（平滑部）を別部材に設け、それらを回動可能に成形して、両者を同時に使用できるようにしたり、片方の上にもう片方を載せて使用できるようにしたりすることで、楽な力で高い均し効果を得ることができるようになる。
【００７７】
なお、このような直線平滑状の平滑部や、歯形状、波形状、櫛形状の凹凸部を設けた基部１０の素材は、上述したように、特に問われるものではなく、通常、檜、ラワン等の木製や、鉄、アルミニウム等の金属製のものが使用される。基部１０全体が同一の材質で統一されていなくてもよく、例えば、均し部１２ａを交換可能な構成とした場合、均し部１２ａとそれ以外の基部１０の部分とを異なる材質とすることも可能である。
【００７８】
しかし、本発明を実施する場合には、基部１０の構造は、このような直線平滑状の平型均し部（平滑部）や歯形状、波形状、櫛形状の歯付き均し部（凹凸部）を設けた所謂、平型レーキや歯付（釘付）レーキと称されるものの構造に限定されない。例えば、基部１０の構造を、細長い平板に毛を取付けたブラシ（所謂、ブラシ付きレーキ、コートブラシと称される）状としてブラッシングにより地面を均すようにしてもよく、更には、図７（ｂ）に示すように、ブラシが取付られた平板に対して歯形状、波形状、櫛形状等の均し部（凹凸部）１２ａ３を設けた兼用の構成としてもよい。
【００７９】
また、例えば、基部１０にローラを取付け、ローラの回転で地面上を圧して均したりする構造としたり、基部１０に網を取付け、当該網に小石、砂、草、ゴミ等を含む土砂を掬い上げたり、ローラ等の回転力の利用により跳ね上げたりする構造として、網にて小石等を含む土砂を濾すことで地面上の小石等を取り除くようにする構成とすることも可能である。更に、基部１０に水や砂等を通過させる孔を設け、基部１０を動かした際に水や砂等の抵抗を低減させ、楽な力で高い均し効果を得るようにすることも可能である。  
【００８０】
更に、基部１０は、地面を均す機能とされるものに限定されず、床面を含んだフィールドの整備を担うものであればよく、例えば、モップ構造として体育館等の床面の清掃に用いるものとしたり、細長い平板にゴムを取付けた構造として水刷毛を行う水切り効果を有するものとすることも可能である。このような基部１０に対して連結部２０を介して柄部４０が取付けられることで、床面整備を担うものとなる。
【００８１】
また、連結部２０の構成についても、上記実施の形態では、円筒状の1つの部材で構成されているが、本発明を実施する場合には、それに限定されず、例えば、複数の対向する部材で成形し、柄部４０を挟むような構成としてもよい。更に、連結部２０は、略一定の径でなくてもよく、所定の接続強度が確保できるのであれば、基部１０との接続側で径小とすることも可能であり、柄部４０が挿入されない基部１０との接続側部分で、例えば、偏平形状に形成することも可能である。
【００８２】
そして、柄部４０の構成についても、上記説明では、中空状としているが、本発明を実施する場合にはそれに限定されず、例えば、内部にＦＲＰ製等の管状また棒状の芯部を設け、その芯部を樹脂製や弾性材等の被覆材で被覆する構成としてもよい。また、内管と外管の二重管材あるいはそれ以上の複数の管材構造とすることも可能である。
【００８３】
また、柄部４０の寸法についても、使用目的や使用者に応じ設計される。例えば、小学生や中学生が柄部４０を打撃具としての野球バットに使用することを想定した場合には、重さが軟式用で５００〜７００ｇ程度、硬式用・トレーニング用（マスコットバット）で６００〜９５０ｇ程度、全体の長さが７０ｃｍ〜８４ｃｍ程度が好適である。高校生以上の年齢であれば、重さが軟式用で６００〜８５０ｇ提訴、硬式用・トレーニング用（マスコットバット）で８００〜１４００ｇ程度、全体の長さが８４ｃｍ〜１１０ｃｍ程度に設計されるのが好適である。なお、上述したように、重量調節をボルト３１及びナット３２等の錘体の取付けによって行うことも可能である。また、グリップ部４２の径の大きさ（太さ）についても、使用者が両手で握れて把持し易い大きさに適宜設定され、柄部４０をバットとして使用すること想定した場合、例えば、３ｃｍ〜６．５ｃｍ程度に設計される。
【００８４】
因みに、例えば、平滑部及びまたは凹凸部を有する基部１０に設けた連結部２０に柄部４０を取付けて、例えば、レーキ、トンボと称されるフィールド整備具として使用する場合には、連結部２０の長さを任意に設定し、全長が１４０ｃｍ〜１７０ｃｍ程度に設計される。子供用では１１０〜１３０ｃｍ程度に設計される。なお、上述したように、連結部２０への柄部４０の挿入深さの調節によって、全長を任意の長さに調節できるようにしてもよい。
【００８５】
更に、上記説明では、基部１０、連結部２０、補強部２２が互いに溶接によって固着されているが、本発明を実施する場合には、基部１０、連結部２０、補強部２２の接続手段は溶接に限定されず、例えば、ボルトとナット等による任意の取付手段によって、連結部２０及び補強部２２に対して基部１０を着脱可能とし、フィールド整備を直接担う基部１０の損傷やフィールドの土質の硬軟等に応じて基部１０のみを交換できるようにしても良い。また、基部１０において連結部２０を回動可能に軸支する支持部を設け、基部１０に対して連結部２０を回動自在とする構成としてもよい。この場合でも、フィールド整備具としての使用形態では、基部１０と柄部４０とが略Ｔ字形状となるように連結部２０が配設される。
【００８６】
このように、上記実施の形態のスポーツ関連器具１は、フィールド整備を直接担い、地面を均す平滑部及び／または歯形状、波形状、櫛形状等の凹凸部を有する基部１０と、基部１０の長手方向Ａに対して直角方向に設けた連結部２０と、連結部２０に先端部が接続自在な棒状の柄部４０，１４０と、柄部４０，１４０を連結部２０に着脱自在に取付けるために連結部２０に設けた孔２１及び棒状の柄部４０，１４０に設けた孔４１、並びに、それら孔２１、孔４１に挿入されるボルト３１及びボルト３１の先端部に取付けられるナット３２によって構成された取付手段と、柄部４０，１４０の連結部２０側に接続される先端部とは反対側の他端部（基端部）に、柄部４０の径を直径２０〜３０ｍｍの最小の太さ（最小径ΦＭｉｎ）から、柄部４０，１４０の長さ方向の距離ｌ＝１０〜２０ｍｍに対して徐々にその径を拡大して直径４０〜６０ｍｍの最大径（最大径ΦＭａｘ）を形成したグリップエンド部５０，１５０とを具備するものである。
【００８７】
したがって、本実施の形態のスポーツ関連器具１によれば、連結部２０に設けた孔２１及び棒状の柄部４０，１４０に設けた孔４１と、孔２１及び孔４１に挿入されるボルト３１及びボルト３１の先端部に取付けられるナット３２とから構成される取付手段によって、フィールド整備を直接担う基部１０の長手方向Ａに対して直角方向に設けた連結部２０と棒状に形成した柄部４０，１４０が着脱自在となっており、基部１０に設けた連結部２０に柄部４０，１４０を接続して取付ることで、フィールド整備具として使用できる。即ち、上記実施の形態では、取付手段によって基部１０に設けた連結部２０に柄部４０，１４０を取付けた際には、柄部４０，１４０を握って基部１０を前後に動かしたり引張って擦らしたりすることで、フィールド整備具（所謂、レーキ、トンボ）として、地面上にできた窪みや盛り上がった場所、荒れた場所等を均して整備することができる。
【００８８】
一方で、基部１０に設けた連結部２０と柄部４０，１４０の取付けを解除して両者が接続されていない状態では、柄部４０，１４０が棒状を呈しており、更に、連結部２０に接続される先端部とは反対側の柄部４０，１４０の他端部（基端部）に径大なグリップエンド部５０，１５０が設けられていることで、柄部４０，１４０のグリップエンド部５０側を把持しスイングした際にも、グリップエンド部５０，１５０により手が柄部４０，１４０の端部から滑り抜けるのが防止され、野球、ソフト等の球技用のバット等の打撃具として球の打撃やスイング練習に好適なものとなる。
【００８９】
このように、本実施の形態のスポーツ関連器具１は、基部１０に設けた連結部２０と柄部４０，１４０が別体となっていて取付手段により着脱自在であることで、基部１０に設けた連結部２０に柄部４０，１４０を取付けた状態ではフィールド整備具として使用できる一方で、基部１０に設けた連結部２０に取付けた柄部４０，１４０が取外せることで、径大なグリップエンド部５０，１５０が設けられた単体の柄部４０，１４０は、野球、ソフト等の球技用のバット等の打撃具としても使用でき、フィールド整備具と打撃具を兼用した汎用性のあるものとなっている。
【００９０】
つまり、本実施の形態のスポーツ関連器具１は、基部１０に設けた連結部２０と柄部４０，１４０を別体とし取付手段によりそれらを着脱自在な構成とし、また、連結部２０に接続される先端部とは反対側の柄部４０，１４０の他端部（基端部）に径大なグリップエンド部５０，１５０を設けたことで、フィールド整備具に汎用性を持たせ、フィールド整備具としての使用形態にとどまらず、単体の柄部４０，１４０を打撃具としても使用できる二つの使用形態を確保し、用途が拡大されたものである。
【００９１】
そして、フィールド整備具と打撃具を兼用していることで、収納・保管スペースも節約できる。また、取付手段によって基部１０に設けた連結部２０と柄部４０，１４０が着脱自在であることで、基部１０に設けた連結部２０と柄部４０，１４０を別々に持つことが可能であり、持ち運び・運搬の使い勝手がよく、更に収納・保管の際にも嵩張らず、場所をとらない。
更に、基部１０及び連結部２０のみの取替えができるため、目的・用途に合わせた基部１０の選択や、損傷・劣化等による交換が可能であり、経済的である。
【００９２】
また、上記実施の形態の取付手段は、連結部に設けた孔２１及び棒状の柄部４０，１４０に設けた孔２１にボルト３１を挿入し、ボルト３１の先端部にナット３２を取り付けて締結することにより、連結部２０に柄部４０，１４０を着脱自在に取付けるものである。
このように、取付手段が連結部２０に設けた孔２１及び棒状の柄部４０，１４０に設けた孔４１と、それら連結部２０の孔２１及び柄部４０，１４０の孔４１に挿入されるボルト３１及びボルト３１の先端部に取付けられるナット３２とから構成されていることで、連結部２０に設けた孔２１及び棒状の柄部４０，１４０に設けた孔４１にボルト３１を挿入し、そのボルト３１の先端部にナット３２を装着して締結する操作を行うのみで、基部１０に設けた連結部２０に柄部４０，１４０を強固に取付けることができる。また、ボルト３１及びナット３２の締結を緩ませてボルト３１・ナット３２を取外す操作を行うのみで、容易に、基部１０に設けた連結部２０と柄部４０，１４０の取付け状態を解除することができ、着脱の操作、つまり、取扱いが簡単で利便性が良い。
【００９３】
また、連結部２０に柄部４０，１４０が接続されていない状態で、ボルト３１及びナット３２を柄部４０，１４０の孔４１に取付けることで重量バランスを調節する錘体として機能させることも可能で、柄部４０，１４０の重量バランスの調節に役立つ汎用性を持つ。つまり、柄部４０，１４０を野球やソフト等の球技用のバット等の打撃具として使用する際に、重量バランスの調節を可能として商品価値や利用価値を高めることができる。
【００９４】
本発明を実施する場合には、柄部４０，１４０を連結部２０に着脱自在に取付ける取付手段は、連結部２０または柄部４０，１４０の何れかに設けた孔に、孔が設けられていない方の連結部２０または柄部に設けた弾性係止部６１を嵌合して係止させることにより連結部２０に柄部４０，１４０を着脱自在に取付けるものであってもよい。
【００９５】
即ち、図６（ａ）に示したように、取付手段は、連結部２０または柄部４０，１４０に設けた孔と、孔が設けられていない方の連結部２０または柄部４０，１４０に設けて孔に嵌合して係止される弾性係止部６１とから構成することも可能である。このような取付手段では、部品点数が少なく、管理しやすい。また、孔に弾性係止部６１を嵌合させるのみで、弾性係止部６１の弾性力により孔に弾性係止部６１が係止され、基部１０に設けた連結部２０に柄部４０，１４０を取付けることができ、また、弾性力に抗する力を加える操作を行うのみでその取外しができ、着脱の操作や取扱いが簡単で使い勝手が良い。
【００９６】
また、柄部４０，１４０を連結部２０に着脱自在に取付ける取付手段は、図６（ｂ）に示したように、連結部２０及び柄部４０，１４０のそれぞれに設けたねじ部６２ａ、６２ｂに締結材６３を螺合することにより締結材６３を介して連結部２０に柄部４０，１４０を着脱自在に取付けるものであってもよい。
即ち、図６（ｂ）に示したように、取付手段は、連結部２０及び柄部４０，１４０のそれぞれに設けたねじ部６２ａ，６２ｂと、それら両者のねじ部６２ａ，６２ｂに螺合する締結材６３とから構成することも可能である。このような取付手段では、連結部２０のねじ部６２ａ及び柄部４０，１４０のねじ部６２ｂに締結材６３を対応させて締結する操作を行うのみで、基部１０に設けた連結部２０に柄部４０，１４０を取付けることができ、また、締結を緩めるのみでその取外しができ、着脱の操作や、取扱いが簡単で利便性が良い。
【００９７】
特に、グリップエンド部５０は、柄部４０の一端部に、柄部４０の径を直径２０〜３０ｍｍの範囲内の最小の太さから、柄部４０の長さ方向の距離１０〜２０ｍｍの範囲内に対して徐々にその径を拡大して直径４０〜６０ｍｍの範囲内の最大径を形成した。したがって、基部１０に地面を均す平滑部、凹凸部を有する所謂、レーキ、トンボと称される地面を均す整備具が取付けられていて、選手らがグランド整備、床の清掃等をするときには、野球のバットを握ったとき、テニスのラケット、バトミントンのラケットと同感覚で握って作業でき、筋肉トレーニングを行うことになるから、グランド整備であっても野球、ソフト、テニス等の実戦練習と同様の運動ができる。
【００９８】
また、グリップエンド部５０をそのままの状態で、柄部４０の長さを複数持つことにより、重心までの距離を変化させ、自己の打撃速度、スイング速度を向上させる運動ができる。逆に、スイング速度から、野球バット、ラケットを握る位置を逆算して、スピードボールにたちむかうことができる。
そして、グリップエンド部５０は、野球、ソフトボールのバットの端部の形状に似ており、使用者はテニスのラケット、バトミントンのラケットを握った状態では違和感が生じないから、自然な感覚で使用することができる。
【符号の説明】
【００９９】
１    スポーツ関連器具
１０  基部
２０  連結部
２１  孔
３１  ボルト
３２  ナット
４０，１４０  柄部
４１  孔
５０，１５０  グリップエンド部
６１  弾性係止部
６２ａ、６２ｂ  ねじ部
６３  締結材
【図１】
2017141571.tif 000003
【図２】
2017141571.tif 000004
【図３】
2017141571.tif 000005
【図４】
2017141571.tif 000006
【図５】
2017141571.tif 000007
【図６】
2017141571.tif 000008
【図７】
2017141571.tif 000009